(57)【要約】【課題】逆立ちゴマ玩具に変形の要素を加えることで、今までにない新規なコマ玩具を提供する。【解決手段】胴体部１１を構成するとともに開き方向に揺動可能な揺動部材１７と、軸部２１の軸方向に摺動可能な移動部材２３と、を備え、逆立ちゴマ玩具１０が逆立ちしたときに前記移動部材２３が摺動し、摺動した前記移動部材２３が作用することにより揺動部材１７の係合部１７ｂの係止が解除され、前記係合部１７ｂの係止が解除されたことにより前記揺動部材１７が開き方向に揺動するようにした。【選択図】図５
2015134135.tif 000002
【特許請求の範囲】
【請求項１】
略球体状の胴体部と、前記胴体部から突出した軸部と、を備え、前記軸部を上にして回転させたときに前記軸部が下になるように逆さまに立つ逆立ちゴマ玩具であって、
前記胴体部を構成するとともに開き方向に揺動可能な揺動部材と、
前記軸部の軸方向に摺動可能な移動部材と、
を備え、
前記揺動部材は、前記軸部を上にした状態で閉じた状態となるように係止される係合部を備え、
逆立ちゴマ玩具が逆立ちしたときに前記移動部材が摺動し、摺動した前記移動部材が作用することにより前記係合部の係止が解除され、前記係合部の係止が解除されたことにより前記揺動部材が開き方向に揺動することを特徴とする、逆立ちゴマ玩具。
【請求項２】
前記移動部材はリング状の重り部材であり、
逆立ちゴマ玩具が逆立ちしたときに、前記重り部材が自重により下方に摺動して前記係合部の係止を解除することを特徴とする、請求項１記載の逆立ちゴマ玩具。
【請求項３】
前記リング状の重り部材を前記軸部に対して回転しないようにするための回転阻止手段を備えることを特徴とする、請求項２記載の逆立ちゴマ玩具。
【請求項４】
前記移動部材は前記軸部に内蔵された棒状部材であり、
前記棒状部材の先端は前記軸部の先端から突出しており、
逆立ちゴマ玩具が逆立ちしたときに、前記軸部の先端から突出した前記棒状部材の先端が地面によって押し込まれることで前記棒状部材が上方に移動して前記係合部の係止を解除することを特徴とする、請求項１記載の逆立ちゴマ玩具。
【発明の詳細な説明】
【技術分野】
【０００１】
この発明は、略球体状の胴体部と、前記胴体部から突出した軸部と、を備え、前記軸部を上にして回転させたときに前記軸部が下になるように逆さまに立つ逆立ちゴマ玩具に関する。
【背景技術】
【０００２】
従来、略球体状の胴体部と、前記胴体部から突出した軸部と、を備え、前記軸部を上にして回転させたときに前記軸部が下になるように逆さまに立つ逆立ちゴマが伝統的に知られている。
また、特許文献１には、コマを回転させたときの遠心力で部材の係合を解除して変形するようにしたコマ玩具が開示されている。
【先行技術文献】
【特許文献】
【０００３】
【特許文献１】実開昭６２−１３０６８５号公報
【発明の概要】
【発明が解決しようとする課題】
【０００４】
過去には、上記したような逆立ちゴマや変形コマ玩具は知られていたものの、両者を組み合わせたものは存在しなかった。
そこで、本発明は、逆立ちゴマ玩具に変形の要素を加えることで、今までにない新規なコマ玩具を提供することを課題とする。
【課題を解決するための手段】
【０００５】
本発明は、上記した課題を解決するためになされたものであり、以下を特徴とする。
【０００６】
請求項１記載の発明は、略球体状の胴体部と、前記胴体部から突出した軸部と、を備え、前記軸部を上にして回転させたときに前記軸部が下になるように逆さまに立つ逆立ちゴマ玩具であって、前記胴体部を構成するとともに開き方向に揺動可能な揺動部材と、前記軸部の軸方向に摺動可能な移動部材と、を備え、前記揺動部材は、前記軸部を上にした状態で閉じた状態となるように係止される係合部を備え、逆立ちゴマ玩具が逆立ちしたときに前記移動部材が摺動し、摺動した前記移動部材が作用することにより前記係合部の係止が解除され、前記係合部の係止が解除されたことにより前記揺動部材が開き方向に揺動することを特徴とする。
【０００７】
請求項２に記載の発明は、前記移動部材はリング状の重り部材であり、逆立ちゴマ玩具が逆立ちしたときに、前記重り部材が自重により下方に摺動して前記係合部の係止を解除することを特徴とする。
【０００８】
請求項３に記載の発明は、前記リング状の重り部材を前記軸部に対して回転しないようにするための回転阻止手段を備えることを特徴とする。
【０００９】
請求項４に記載の発明は、前記移動部材は前記軸部に内蔵された棒状部材であり、前記棒状部材の先端は前記軸部の先端から突出しており、逆立ちゴマ玩具が逆立ちしたときに、前記軸部の先端から突出した前記棒状部材の先端が地面によって押し込まれることで前記棒状部材が上方に移動して前記係合部の係止を解除することを特徴とする。
【発明の効果】
【００１０】
請求項１に記載の発明は上記の通りであり、逆立ちゴマ玩具が逆立ちしたときに移動部材が摺動し、摺動した移動部材が作用することにより係合部の係止が解除され、係合部の係止が解除されたことにより揺動部材が開き方向に揺動するので、逆立ちの動作に連動して逆立ちゴマ玩具を変形させることができ、今までにない斬新な動きをする逆立ちゴマ玩具を提供することができる。
【００１１】
また、請求項２に記載の発明は上記の通りであり、前記移動部材はリング状の重り部材であり、逆立ちゴマ玩具が逆立ちしたときに、前記重り部材が自重により下方に摺動して前記係合部の係止を解除するので、移動部材を作動させるための部品（バネなど）が不要である。よって、製造コストを抑制しつつ、故障などの不具合も発生しにくい逆立ちゴマ玩具を提供することができる。
【００１２】
また、請求項３に記載の発明は上記の通りであり、前記リング状の重り部材を前記軸部に対して回転しないようにするための回転阻止手段を備えるので、逆立ちゴマ玩具を回転させたときに重り部材が軸と一緒に回転するようになっている。このように構成すれば、重り部材が回転することで遠心力が働き、逆立ちゴマ玩具が逆立ちしたとしても回転速度が落ちるまでは重り部材が落下しないので、逆立ちゴマ玩具が逆立ちしてすぐに変形するのではなく、逆立ちしてから遅れて変形させることができる。すなわち、逆立ちした状態で回転する様子も楽しむことができるので、より興趣に富んだ玩具とすることができる。
【００１３】
また、請求項４に記載の発明は上記の通りであり、前記移動部材は前記軸部に内蔵された棒状部材であり、前記棒状部材の先端は前記軸部の先端から突出しており、逆立ちゴマ玩具が逆立ちしたときに、前記軸部の先端から突出した前記棒状部材の先端が地面によって押し込まれることで前記棒状部材が上方に移動して前記係合部の係止を解除するので、棒状部材をスライドさせるという簡単な構造で逆立ちゴマ玩具を製作できる。よって、製造コストを抑制しつつ、故障などの不具合も発生しにくい逆立ちゴマ玩具を提供することができる。
【図面の簡単な説明】
【００１４】
【図１】第１の実施形態に係る逆立ちゴマ玩具の斜視図である。
【図２】第１の実施形態に係る逆立ちゴマ玩具の斜視図であって、逆立ちして変形した状態の図である。
【図３】第１の実施形態に係る逆立ちゴマ玩具の分解斜視図である。
【図４】第１の実施形態に係る逆立ちゴマ玩具の（ａ）側面図、（ｂ）Ａ−Ａ断面図である。
【図５】第１の実施形態に係る逆立ちゴマ玩具が変形する様子を示す図であって、（ａ）逆立ち直後の側面図、（ｂ）Ｂ１−Ｂ１断面図、（ｃ）揺動部材が揺動し始めたときの側面図、（ｄ）Ｂ２−Ｂ２断面図、（ｅ）揺動部材が揺動している途中の側面図、（ｆ）Ｂ３−Ｂ３断面図、（ｇ）揺動部材の揺動が完了した後の側面図、（ｈ）Ｂ４−Ｂ４断面図である。
【図６】第２の実施形態に係る逆立ちゴマ玩具の斜視図である。
【図７】第２の実施形態に係る逆立ちゴマ玩具の斜視図であって、逆立ちして変形した状態の図である。
【図８】第２の実施形態に係る逆立ちゴマ玩具の分解斜視図である。
【図９】第２の実施形態に係る逆立ちゴマ玩具の（ａ）側面図、（ｂ）Ｃ−Ｃ断面図である。
【図１０】第２の実施形態に係る逆立ちゴマ玩具が変形する様子を示す図であって、（ａ）逆立ち直後の側面図、（ｂ）Ｄ１−Ｄ１断面図、（ｃ）揺動部材が揺動し始めたときの側面図、（ｄ）Ｄ２−Ｄ２断面図、（ｅ）揺動部材が揺動している途中の側面図、（ｆ）Ｄ３−Ｄ３断面図、（ｇ）揺動部材の揺動が完了した後の側面図、（ｈ）Ｄ４−Ｄ４断面図である。
【発明を実施するための形態】
【００１５】
（第１の実施形態）
第１の実施形態について、図１〜５を参照しながら説明する。
【００１６】
本実施形態に係る逆立ちゴマ玩具１０は、略球体状の胴体部１１から突出した軸部２１を上にして回転させたときに軸部２１が下になるように逆さまに立つものであり、その逆立ちする原理は公知の逆立ちゴマと同様である。すなわち、コマが回転したときに重心を上に上げて安定しようとする原理を利用したものであり、胴体部１１の中心よりやや下（軸部２１の先端からみて反対の方向）に重心を配置することで、一定以上の回転速度で回転させたときに逆さまに立つようにしたものである。
【００１７】
また、この逆立ちゴマ玩具１０は、単に逆さまに立つだけではなく、逆さまに立つ動作に連動して変形する。具体的には、図１に示すように、軸部２１を上にした状態では従来の逆立ちゴマと同様の形態であるが、図２に示すように、逆立ちすると変形し、変形することにより逆立ちした状態で自立するようになっている。
【００１８】
この逆立ちゴマ玩具１０は、図３に示すように、略球体状の胴体部１１と、前記胴体部１１から突出した軸部２１と、胴体部１１の内部に配置されたフック部材２２と、同じく胴体部１１の内部に配置された重り部材２３と、を備えている。
【００１９】
胴体部１１は、図１等に示すように、閉じた状態で略球体状となっており、変形することで図２に示すように花びら状に部材を広げた形となる。この胴体部１１は、基部１２と、第１揺動部材１７と、第２揺動部材１８と、を備えている。
【００２０】
基部１２は、揺動部材１７，１８を支持するための部位であり、図２等に示すように、頭頂部材１３とカバー材１４とを組み合わせて構成されている。そして、この頭頂部材１３とカバー材１４とが組み合わされることで内部に空間を形成しており、この内部空間にフック部材２２や重り部材２３を収容可能となっている。なお、頭頂部材１３とカバー材１４とは留めネジ１５によって互いに固定される。
【００２１】
頭頂部材１３は、胴体部１１の頭頂部に位置する部材であり、この頭頂部材１３の外表面が第１揺動部材１７の外表面と連続することで略球体状の外形を形成している。この頭頂部材１３には、図３に示すように、第２揺動部材１８を揺動可能に支持するための軸受部１３ａが左右２箇所に形成されている。また、後述する第１揺動部材１７の係合部１７ｂを挿入可能とするための切欠き１３ｂが周方向の４箇所に設けられている。
【００２２】
カバー材１４は、頭頂部材１３の開放面を覆うように取り付けられる部材である。このカバー材１４には、図３に示すように、第１揺動部材１７を揺動可能に支持するための軸受部１４ａが周方向の４箇所に形成されている。また、後述する第１揺動部材１７の係合部１７ｂを挿入可能とするための切欠き１４ｂが周方向の４箇所に設けられている。
【００２３】
なお、頭頂部材１３の切欠き１３ｂとカバー材１４の切欠き１４ｂとは対応する位置に設けられており、頭頂部材１３とカバー材１４とを組み合わせたときに互いの切欠き１３ｂ、１４ｂが連続し、基部１２の周囲に４箇所の孔１２ａが形成されるようになっている（図２参照）。この孔１２ａは、第１揺動部材１７の係合部１７ｂを基部１２の内部空間へと導くためのものである。
【００２４】
第１揺動部材１７は、図３に示すような花びら状の丸みを帯びた板状部材であり、本実施形態においては、胴体部１１の周囲を覆うように４枚の第１揺動部材１７が設けられている。この第１揺動部材１７は、基部１２に対して開き方向に揺動可能に取り付けられている。具体的には、この第１揺動部材１７の端部には上述したカバー材１４の軸受部１４ａに接続するための軸支持部１７ａが設けられており、この軸支持部１７ａを貫通する揺動軸１９が軸受部１４ａに軸支されることで、第１揺動部材１７が基部１２に対して揺動可能となっている。なお、揺動軸１９にはねじりコイルばね２０が取り付けられており、このねじりコイルばね２０によって第１揺動部材１７は基部１２に対して開き方向に付勢されている。
【００２５】
また、この第１揺動部材１７の裏面には、鉤状の係合部１７ｂが突出形成されている。この係合部１７ｂは、軸部２１を上にした状態で第１揺動部材１７が閉じた状態となるようにフック部材２２に係止される部材である。後ほど詳述するが、この係合部１７ｂがフック部材２２に係止されることによって、第１揺動部材１７はねじりコイルばね２０の付勢力に抗して閉じた状態を維持できるようになっている。
【００２６】
第２揺動部材１８は、図３に示すような花びら状の板状部材であり、第１揺動部材１７が閉じた状態のときに、第１揺動部材１７の内側に収容されるようになっている。この第２揺動部材１８も、第１揺動部材１７と同様に基部１２に対して開き方向に揺動可能に取り付けられている。具体的には、この第２揺動部材１８の端部には上述した頭頂部材１３の軸受部１３ａに接続するための軸支持部１８ａが設けられており、この軸支持部１８ａを貫通する揺動軸１９が軸受部１３ａに軸支されることで、第２揺動部材１８が基部１２に対して揺動可能となっている。なお、揺動軸１９にはねじりコイルばね２０が取り付けられており、このねじりコイルばね２０によって第２揺動部材１８は基部１２に対して開き方向に付勢されている。
【００２７】
なお、この第２揺動部材１８は第１揺動部材１７の内側に収容されているため、第１揺動部材１７が閉じた状態のときには第１揺動部材１７によって閉じる方向に押し込まれている。そして、第１揺動部材１７が開いたときには、第１揺動部材１７による押し込みがなくなるため、ねじりコイルばね２０の付勢力によって第２揺動部材１８も開き方向に揺動するようになっている。
【００２８】
軸部２１は、図３に示すような棒状部材であり、基部１２に対して回転不能に固定されている。この軸部２１は、胴体部１１から操作可能に突出した摘み部２１ａと、胴体部１１の内部に収容される摺動ガイド部２１ｂと、を備えている。なお、摺動ガイド部２１ｂの外周面には縦溝状のキー２１ｃが設けられており、後述するキー溝２３ｂと協働して重り部材２３の回転を阻止する回転阻止手段を構成している。
【００２９】
フック部材２２は、図３に示すようなリング状の部材であり、中央に軸部２１の摺動ガイド部２１ｂを貫通させるための中央孔２２ａが形成されている。この中央孔２２ａに摺動ガイド部２１ｂが貫通していることにより、フック部材２２は軸部２１の軸方向に摺動可能となっている。なお、中央孔２２ａの内側には、摺動ガイド部２１ｂのキー２１ｃに係合するキー溝２２ｃが設けられており、フック部材２２が軸部２１に対して回転しないようになっている。言い換えると、このフック部材２２は胴体部１１や軸部２１と一体的に回転するようになっており、逆立ちゴマ玩具１０を回転させた場合でも、後述する係合爪２２ｂが第１揺動部材１７の係合部１７ｂから外れないようになっている。
【００３０】
また、このフック部材２２の周縁部には、第１揺動部材１７の係合部１７ｂを係合させるための係合爪２２ｂが設けられている。この係合爪２２ｂは、第１揺動部材１７の４つの係合部１７ｂのそれぞれに臨むように４箇所に設けられている。この係合爪２２ｂは周方向に等間隔で４箇所に設けられているため、図４（ｂ）に示すように、軸部２１を中心に係合爪２２ｂが向かい合うようになっている。このため、係合爪２２ｂに第１揺動部材１７の係合部１７ｂを係合させたときに、開き方向に付勢された第１揺動部材１７の係合部１７ｂによって、フック部材２２が両側から引っ張られるような状態となり、この引っ張られる力によってフック部材２２が保持されるとともに、係合爪２２ｂと係合部１７ｂとの係合が維持されるようになっている。
【００３１】
なお、このフック部材２２は、軸部２１の摺動ガイド部２１ｂによって摺動可能にガイドされており、軸部２１の端部（摘み部２１ａ）の方向に摺動することで、係合爪２２ｂと係合部１７ｂとの係合を解除できるようになっている。
【００３２】
重り部材２３は、図３に示すようなリング状の部材であり、例えば金属などの比較的重い材料で形成されている。この重り部材２３は、中央に軸部２１の摺動ガイド部２１ｂを貫通させるための孔部２３ａが形成されている。この孔部２３ａに摺動ガイド部２１ｂが貫通していることにより、重り部材２３は軸部２１の軸方向に摺動可能となっている。なお、孔部２３ａの内側には、摺動ガイド部２１ｂのキー２１ｃに係合するキー溝２３ｂが設けられており、重り部材２３が軸部２１に対して回転しないようになっている。言い換えると、この重り部材２３は胴体部１１や軸部２１と一体的に回転するようになっている。
【００３３】
なお、この重り部材２３は、軸部２１の摺動ガイド部２１ｂによって摺動可能にガイドされており、軸部２１の端部（摘み部２１ａ）の方向に摺動することで、フック部材２２を押し下げて、係合爪２２ｂと係合部１７ｂとの係合を解除できるようになっている。
上記した逆立ちゴマ玩具１０は、以下のように遊ぶことができる。
【００３４】
まず、図４に示すように、軸部２１を上にして第１揺動部材１７を閉じた状態とする。なお、第１揺動部材１７が開いている場合でも、軸部２１を上にして第１揺動部材１７を閉じた状態とすれば、フック部材２２が自重により下に降りてきて係合部１７ｂと係合爪２２ｂとが自動的に係合する。このように係合部１７ｂと係合爪２２ｂとが係合すれば、第１揺動部材１７を閉じている手を放しても、第１揺動部材１７によってフック部材２２が両側から引っ張られているため、フック部材２２の係合爪２２ｂが係合部１７ｂから外れることはない。
【００３５】
上記のように第１揺動部材１７を閉じた状態にセットしたら、軸部２１を上にして勢いよく回転させる。すると、従来の逆立ちゴマと同様の原理にて逆立ちゴマ玩具１０が逆立ちする（図５（ａ）及び（ｂ）参照）。すると、図５（ｃ）及び（ｄ）に示すように、重り部材２３が自重によって下方に摺動する。下方に摺動した重り部材２３は、フック部材２２を押し下げるため、図５（ｅ）及び（ｆ）に示すように、係合爪２２ｂが係合部１７ｂから外れ、係合部１７ｂの係止が解除されたことにより第１揺動部材１７が開き方向に揺動する。また、第１揺動部材１７が揺動したことにより、第１揺動部材１７によって押さえられていた第２揺動部材１８も同時に揺動する。
【００３６】
第１揺動部材１７は、最終的には、図５（ｇ）及び（ｈ）に示すように、軸部２１の先端と同じか、または軸部２１の先端よりも下方にまで揺動する。このように第１揺動部材１７の揺動が完了すると、４つの第１揺動部材１７の先端が接地した状態となるため、摩擦が大きくなって逆立ちゴマ玩具１０の回転が停止する。なお、回転を停止した逆立ちゴマ玩具１０は、逆立ちした状態で４つの第１揺動部材１７の先端が接地した状態で自立する。
【００３７】
なお、本実施形態においては、逆立ちゴマ玩具１０が逆立ちしてすぐに重り部材２３が下方に摺動するのではなく、逆立ちゴマ玩具１０が逆立ちしてから遅れて重り部材２３が下方に摺動するようになっている。すなわち、重り部材２３が回転することで遠心力が働き、逆立ちゴマ玩具１０が逆立ちしたとしても回転速度が落ちるまでは重り部材２３が落下しないようになっている。
【００３８】
以上のように、本実施形態によれば、逆立ちゴマ玩具１０が逆立ちしたときに重り部材２３が摺動し、摺動した重り部材２３が作用することにより係合部１７ｂの係止が解除され、係合部１７ｂの係止が解除されたことにより揺動部材１７，１８が開き方向に揺動するので、逆立ちの動作に連動して逆立ちゴマ玩具１０を変形させることができ、今までにない斬新な動きをする逆立ちゴマ玩具１０を提供することができる。
【００３９】
また、逆立ちゴマ玩具１０が逆立ちしたときに、前記重り部材２３が自重により下方に摺動して前記係合部１７ｂの係止を解除するので、移動部材（重り部材２３）を作動させるための部品（バネなど）が不要である。よって、製造コストを抑制しつつ、故障などの不具合も発生しにくい逆立ちゴマ玩具１０を提供することができる。
【００４０】
また、前記リング状の重り部材２３を前記軸部２１に対して回転しないようにするための回転阻止手段２１ｃ，２３ｂを備えるので、逆立ちゴマ玩具１０を回転させたときに重り部材２３が軸と一緒に回転するようになっている。このように構成すれば、重り部材２３が回転することで遠心力が働き、逆立ちゴマ玩具１０が逆立ちしたとしても回転速度が落ちるまでは重り部材２３が落下しないので、逆立ちゴマ玩具１０が逆立ちしてすぐに変形するのではなく、逆立ちしてから遅れて変形させることができる。すなわち、逆立ちした状態で回転する様子も楽しむことができるので、より興趣に富んだ玩具とすることができる。
【００４１】
なお、何らかの原因で係合爪２２ｂと係合部１７ｂとの係合がうまく解除されない場合には、図１に示すように、胴体部１１の外周縁に突起１７ｃを設けてもよい。このように突起１７ｃを設けるようにすれば、逆立ちゴマ玩具１０が逆立ちする動作の中で突起１７ｃを乗り越えようとする際に衝撃が発生し、この衝撃によってフック部材２２や重り部材２３を動かして係合爪２２ｂと係合部１７ｂとの係合を解除させることができる。
【００４２】
また、上記した実施形態においては、回転阻止手段としてキー２１ｃ及びキー溝２３ｂを使用したが、回転阻止手段の具体的な態様としてはこれに限らない。例えば、摺動ガイド部２１ｂを角柱状とし、重り部材２３の孔部２３ａをこの摺動ガイド部２１ｂの角柱状に対応する角孔形状としてもよい。
【００４３】
（第２の実施形態）
第２の実施形態について、図６〜１０を参照しながら説明する。
【００４４】
本実施形態に係る逆立ちゴマ玩具１０は、略球体状の胴体部１１から突出した軸部２１を上にして回転させたときに軸部２１が下になるように逆さまに立つものであり、その逆立ちする原理は公知の逆立ちゴマと同様である。すなわち、コマが回転したときに重心を上に上げて安定しようとする原理を利用したものであり、胴体部１１の中心よりやや下（軸部２１の先端からみて反対の方向）に重心を配置することで、一定以上の回転速度で回転させたときに逆さまに立つようにしたものである。
【００４５】
また、この逆立ちゴマ玩具１０は、単に逆さまに立つだけではなく、逆さまに立つ動作に連動して変形する。具体的には、図６に示すように、軸部２１を上にした状態では従来の逆立ちゴマと同様の形態であるが、図７に示すように、逆立ちすると変形し、変形することにより逆立ちした状態で自立するようになっている。
【００４６】
この逆立ちゴマ玩具１０は、図８に示すように、略球体状の胴体部１１と、前記胴体部１１から突出した軸部２１と、胴体部１１の内部に配置された棒状部材２４と、棒状部材２４を付勢する圧縮バネ２５と、圧縮バネ２５の端部を受けるバネ受部材２６と、を備えている。
【００４７】
胴体部１１は、図６等に示すように、閉じた状態で略球体状となっており、変形することで図７に示すように花びら状に部材を広げた形となる。この胴体部１１は、基部１２と、第１揺動部材１７と、第２揺動部材１８と、を備えている。
【００４８】
基部１２は、揺動部材１７，１８を支持するための部位であり、図７等に示すように、頭頂部材１３とカバー材１４とを組み合わせて構成されている。そして、この頭頂部材１３とカバー材１４とが組み合わされることで内部に空間を形成しており、この内部空間に棒状部材２４の一部や圧縮バネ２５、バネ受部材２６を収容可能となっている。なお、頭頂部材１３とカバー材１４とは留めネジ１５によって互いに固定される。
【００４９】
頭頂部材１３は、胴体部１１の頭頂部に位置する部材であり、この頭頂部材１３の外表面が第１揺動部材１７の外表面と連続することで略球体状の外形を形成している。この頭頂部材１３には、図８に示すように、第２揺動部材１８を揺動可能に支持するための軸受部１３ａが左右２箇所に形成されている。
【００５０】
カバー材１４は、頭頂部材１３の開放面を覆うように取り付けられる部材である。このカバー材１４には、図８に示すように、第１揺動部材１７を揺動可能に支持するための軸受部１４ａが周方向の４箇所に形成されている。また、後述する第１揺動部材１７の係合部１７ｂを挿入可能とするための切欠き１４ｂが周方向の４箇所に設けられている。この切欠き１４ｂが設けられることで、頭頂部材１３とカバー材１４とを組み合わせたときに基部１２の周囲に４箇所の孔１２ａが形成されるようになっている（図７参照）。この孔１２ａは、第１揺動部材１７の係合部１７ｂを基部１２の内部空間へと導くためのものである。
【００５１】
第１揺動部材１７は、図８に示すような花びら状の丸みを帯びた板状部材であり、本実施形態においては、胴体部１１の周囲を覆うように４枚の第１揺動部材１７が設けられている。この第１揺動部材１７は、基部１２に対して開き方向に揺動可能に取り付けられている。具体的には、この第１揺動部材１７の端部には上述したカバー材１４の軸受部１４ａに接続するための軸支持部１７ａが設けられており、この軸支持部１７ａを貫通する揺動軸１９が軸受部１４ａに軸支されることで、第１揺動部材１７が基部１２に対して揺動可能となっている。なお、揺動軸１９にはねじりコイルばね２０が取り付けられており、このねじりコイルばね２０によって第１揺動部材１７は基部１２に対して開き方向に付勢されている。
【００５２】
また、この第１揺動部材１７の裏面には、鉤状の係合部１７ｂが突出形成されている。この係合部１７ｂは、軸部２１を上にした状態で第１揺動部材１７が閉じた状態となるように棒状部材２４の係合爪２４ｃ（後述）に係止される部材である。後ほど詳述するが、この係合部１７ｂが係合爪２４ｃに係止されることによって、第１揺動部材１７はねじりコイルばね２０の付勢力に抗して閉じた状態を維持できるようになっている。
【００５３】
第２揺動部材１８は、図８に示すような花びら状の板状部材であり、第１揺動部材１７が閉じた状態のときに、第１揺動部材１７の内側に収容されるようになっている。この第２揺動部材１８も、第１揺動部材１７と同様に基部１２に対して開き方向に揺動可能に取り付けられている。具体的には、この第２揺動部材１８の端部には上述した頭頂部材１３の軸受部１３ａに接続するための軸支持部１８ａが設けられており、この軸支持部１８ａを貫通する揺動軸１９が軸受部１３ａに軸支されることで、第２揺動部材１８が基部１２に対して揺動可能となっている。なお、揺動軸１９にはねじりコイルばね２０が取り付けられており、このねじりコイルばね２０によって第２揺動部材１８は基部１２に対して開き方向に付勢されている。
【００５４】
なお、この第２揺動部材１８は第１揺動部材１７の内側に収容されているため、第１揺動部材１７が閉じた状態のときには第１揺動部材１７によって閉じる方向に押し込まれている。そして、第１揺動部材１７が開いたときには、第１揺動部材１７による押し込みがなくなるため、ねじりコイルばね２０の付勢力によって第２揺動部材１８も開き方向に揺動するようになっている。
【００５５】
軸部２１は、図８に示すような筒状部材であり、留めネジ１６によって基部１２に対して回転不能に固定されている。この軸部２１は、胴体部１１から操作可能に突出した摘み部２１ａを備えている。なお、軸部２１には軸方向に貫通孔２１ｄが設けられており、棒状部材２４の中心軸部２４ａを貫通させることができるようになっている。
【００５６】
棒状部材２４は、図８に示すような棒状部材であり、基部１２及び軸部２１に内蔵されるとともに、先端が軸部２１の先端から突出している。具体的には、この棒状部材２４は、上記した貫通孔２１ｄを貫通する丸棒状の中心軸部２４ａを備えており、この中心軸部２４ａの先端が貫通孔２１ｄの開口部から突出するようになっている。なお、この棒状部材２４は軸部２１の軸方向に摺動可能となっており、突出した先端を軸部２１の中へと押し込む方向に摺動可能となっている。
【００５７】
また、この中心軸部２４ａの基端部には、放射状に突出した４つの係合爪２４ｃが設けられている。この係合爪２４ｃは、第１揺動部材１７の係合部１７ｂを係合させるためのものであり、第１揺動部材１７の４つの係合部１７ｂのそれぞれに臨むように４箇所に設けられている。
【００５８】
なお、この棒状部材２４は、軸部２１によって摺動可能にガイドされており、反先端側方向（頭頂部材１３の方向）に摺動することで、係合爪２４ｃと係合部１７ｂとの係合を解除できるようになっている。
【００５９】
圧縮バネ２５は、棒状部材２４を先端方向に付勢するためのものである。この圧縮バネ２５が棒状部材２４を付勢することによって、係合爪２４ｃと係合部１７ｂとが係合する方向に棒状部材２４が付勢されている。
バネ受部材２６は、圧縮バネ２５の座面を安定させるための部材であり、頭頂部材１３の内側に固定されて使用される。
上記した逆立ちゴマ玩具１０は、以下のように遊ぶことができる。
【００６０】
まず、図９に示すように、軸部２１を上にして第１揺動部材１７を閉じた状態とする。なお、第１揺動部材１７が開いている場合でも、軸部２１を上にして第１揺動部材１７を閉じた状態とすれば、圧縮バネ２５の付勢力を利用して係合爪２４ｃと係合部１７ｂとが弾発的に係合する。このように係合部１７ｂと係合爪２４ｃとが係合すれば、第１揺動部材１７を閉じている手を放しても、圧縮バネ２５の付勢力によって、係合爪２４ｃが係合部１７ｂから外れることはない。
【００６１】
上記のように第１揺動部材１７を閉じた状態にセットしたら、軸部２１を上にして勢いよく回転させる。すると、従来の逆立ちゴマと同様の原理にて逆立ちゴマ玩具１０が逆立ちする（図１０（ａ）及び（ｂ）参照）。すると、図１０（ｃ）及び（ｄ）に示すように、軸部２１の先端から突出した棒状部材２４の先端が地面によって押し込まれ、棒状部材２４が上方に摺動する。棒状部材２４が上方に摺動すると、図１０（ｅ）及び（ｆ）に示すように、係合爪２４ｃが係合部１７ｂから外れ、係合部１７ｂの係止が解除されたことにより第１揺動部材１７が開き方向に揺動する。また、第１揺動部材１７が揺動したことにより、第１揺動部材１７によって押さえられていた第２揺動部材１８も同時に揺動する。
【００６２】
第１揺動部材１７は、最終的には、図１０（ｇ）及び（ｈ）に示すように、軸部２１の先端と同じか、または軸部２１の先端よりも下方にまで揺動する。このように第１揺動部材１７の揺動が完了すると、４つの第１揺動部材１７の先端が接地した状態となるため、摩擦が大きくなって逆立ちゴマ玩具１０の回転が停止する。なお、回転を停止した逆立ちゴマ玩具１０は、逆立ちした状態で４つの第１揺動部材１７の先端が接地した状態で自立する。
【００６３】
以上のように、本実施形態によれば、逆立ちゴマ玩具１０が逆立ちしたときに棒状部材２４が摺動し、摺動した棒状部材２４が作用することにより係合部１７ｂの係止が解除され、係合部１７ｂの係止が解除されたことにより揺動部材１７，１８が開き方向に揺動するので、逆立ちの動作に連動して逆立ちゴマ玩具１０を変形させることができ、今までにない斬新な動きをする逆立ちゴマ玩具１０を提供することができる。
【００６４】
また、逆立ちゴマ玩具１０が逆立ちしたときに、前記棒状部材２４の先端が地面によって押し込まれることで前記棒状部材２４が上方に移動して前記係合部１７ｂの係止を解除するので、棒状部材２４をスライドさせるという簡単な構造で逆立ちゴマ玩具１０を製作できる。よって、製造コストを抑制しつつ、故障などの不具合も発生しにくい逆立ちゴマ玩具１０を提供することができる。
【００６５】
なお、何らかの原因で係合爪２４ｃと係合部１７ｂとの係合がうまく解除されない場合には、図６に示すように、棒状部材２４の先端に突起２４ｂを設けてもよい。すなわち、棒状部材２４の先端を図６に示すような円形の平坦面とし、この円形の平坦面に、円中心に対して偏心した位置に突起２４ｂを設けてもよい。このように突起２４ｂを設けるようにすれば、逆立ちした状態で逆立ちゴマ玩具１０が回転しているときに、突起２４ｂを乗り越えようとする際に衝撃が発生し、この衝撃を利用して係合爪２４ｃと係合部１７ｂとの係合を確実に解除させることができる。
【符号の説明】
【００６６】
１０  逆立ちゴマ玩具
１１  胴体部
１２  基部
１２ａ  孔
１３  頭頂部材
１３ａ  軸受部
１３ｂ  切欠き
１４  カバー材
１４ａ  軸受部
１４ｂ  切欠き
１５，１６  留めネジ
１７  第１揺動部材（揺動部材）
１７ａ  軸支持部
１７ｂ  係合部
１７ｃ  突起
１８  第２揺動部材（揺動部材）
１８ａ  軸支持部
１９  揺動軸
２０  ねじりコイルばね
２１  軸部
２１ａ  摘み部
２１ｂ  摺動ガイド部
２１ｃ  キー（回転阻止手段）
２１ｄ  貫通孔
２２  フック部材
２２ａ  中央孔
２２ｂ  係合爪
２２ｃ  キー溝
２３  重り部材（移動部材）
２３ａ  孔部
２３ｂ  キー溝（回転阻止手段）
２４  棒状部材（移動部材）
２４ａ  中心軸部
２４ｂ  突起
２４ｃ  係合爪
２５  圧縮バネ
２６  バネ受部材
【図１】
2015134135.tif 000003
【図２】
2015134135.tif 000004
【図３】
2015134135.tif 000005
【図４】
2015134135.tif 000006
【図５】
2015134135.tif 000007
【図６】
2015134135.tif 000008
【図７】
2015134135.tif 000009
【図８】
2015134135.tif 000010
【図９】
2015134135.tif 000011
【図１０】
2015134135.tif 000012